(57)【要約】【課題】流体封じ込めのための堤防のセクションの形成。【解決手段】１９インチ（４８．２６ｃｍ）の直径を有する複数のビニールコーティングされたポリエステルチューブが、水で充填され、互いの上に積み重ねられ、一時的な方向転換堤防を生成することが可能である。堤防の複数のセクションは、共に当接され、堤防のより長いセクションを形成することが可能である。ベーパバリアまたはプラスチック膜は、堤防セクションの上に巻き付けることが可能であり、および／または、充填する前にそれらが設置されるときに、可撓性の封じ込めチューブを通して縫うように進められ得る。ベーパバリアおよび関連のアンカー固定メカニズムの構成は、堤防の上の封じ込められている流体の静水圧力を低減することによって、流体柱の重量を利用することによって、および、堤防セクションを通る浸出を軽減することによって、堤防セクションの有用性を改善する。【選択図】図３Ｂ１
2018150808.tif 000002
【特許請求の範囲】
【請求項１】
封じ込めエリアの中に流体を封じ込めるための装置であって、
第１のピラミッドフォーメーションで地表面の上に積み重ねられた第１の複数の封じ込めチューブおよび前記第１のピラミッドフォーメーションを含む第２のピラミッドフォーメーションで地表面の上に積み重ねられた第２の複数の封じ込めチューブであって、それぞれの可撓性の封じ込めチューブは、可撓性の本体部を含み、充填流体を受け入れるように構成されている、第１の複数の封じ込めチューブおよび第２の複数の封じ込めチューブと、
前記第２のピラミッドフォーメーションにおいて対応する封じ込めチューブの端部を備える、前記第１のピラミッドフォーメーションにおけるそれぞれの封じ込めチューブの端部の当接部と、
前記当接部を広がる防水性のベーパバリアであって、前記ベーパバリアは第１の部分および第２の部分を含み、
前記ベーパバリアの前記第１の部分は、前記当接部での前記第１のピラミッドフォーメーションおよび前記第２のピラミッドフォーメーションのフロントベースから前記封じ込めエリアの中へ前記地表面に沿って延在しており、
前記ベーパバリアの前記第２の部分は、前記当接部での前記第１のピラミッドフォーメーションおよび前記第２のピラミッドフォーメーションのフロント面を下向きに、前記当接部での前記第１のピラミッドフォーメーションおよび前記第２のピラミッドフォーメーションの前記フロントベースにおける前記地表面へ延在しており、前記第１のピラミッドフォーメーションおよび前記第２のピラミッドフォーメーションの前記フロント面は、前記封じ込めエリアの一部分を形成している、ベーパバリアと
を含むことを特徴とする装置。
【請求項２】
前記当接部に広がる前記ベーパバリアは、前記第１の複数の封じ込めチューブにおいて、少なくとも１つの前記封じ込めチューブの可撓性の本体部の長さに沿って延在し、前記当接部を超えて延在し、および前記第２の複数の封じ込めチューブにおいて少なくとも１つの前記封じ込めチューブの可撓性の本体部の長さに沿って延在することを特徴とする請求項１に記載の装置。
【請求項３】
前記当接部に広がる前記ベーパバリアは、隣接したチューブ間の前記第１のピラミッドフォーメーションおよび第２のピラミッドフォーメーションの前の水の浸出を減少することを特徴とする請求項２に記載の装置。
【請求項４】
前記第１の複数の封じ込めチューブは、前記第１のピラミッドフォーメーションの少なくとも１つの封じ込めチューブの端部が前記第１のピラミッドフォーメーションの他の封じ込めチューブの端部と同一平面上にないようにずらして配置され、前記第２の複数の封じ込めチューブは、前記当接部を形成するように対応してずらして配置され、前記当接部に広がる前記ベーパバリアは前記ずれの長さよりも大きい長さで延在することを特徴とする請求項１に記載の装置。
【請求項５】
前記第２のピラミッドフォーメーションの対応する封じ込めチューブの端部で前記第１のピラミッドフォーメーションの所与の封じ込めチューブの端部の当接部が可撓性のスリーブを含み、前記可撓性のスリーブは前記所与の封じ込めチューブの端部と前記対応する封じ込めチューブの端部とを超えて延在することを特徴とする請求項１に記載の装置。
【請求項６】
前記第２の複数の封じこめチューブの対応する封じ込めチューブとともに前記第１の複数の封じ込めチューブの封じ込めチューブの当接部は、少なくとも１つの封じ込めチューブ受け入れ当接部を含み、封じ込めチューブ受け入れ当接部は
第１の封じ込めチューブの端部を受け入れるための第１の開口部、および
第２の封じ込めチューブの端部を受け入れるための第２の開口部を含むことを特徴とする請求項１に記載の装置。
【請求項７】
前記第２の複数の封じこめチューブの対応する封じ込めチューブとともに前記第１の複数の封じ込めチューブの封じ込めチューブの当接部は、少なくとも１つの封じ込めチューブ受け入れ当接部を含み、第１の封じ込めチューブ受け入れ当接部は、
第１の封じ込めチューブの端部を受け入れる開口部と、
第２の封じ込めチューブ受け入れ当接部と対合するように、または第２の封じ込めチューブと当接するように構成されて形成された端部、とを含むことを特徴とする請求項１に記載の装置。
【請求項８】
調整された長さを有する、前記第１の複数の封じ込めチューブまたは前記第２の複数の封じ込めチューブの少なくとも１つの封じ込めチューブをさらに含み、前記調整された長さを有する所与の封じ込めチューブは、
前記所与の封じ込めチューブの前記可撓性の本体部の巻かれた部分、および
前記巻かれた部分を受け入れるための開口部を有するスリーブを含むことを特徴とする請求項１に記載の装置。
【請求項９】
前記所与の封じ込めチューブが、前記充填流体を受け入れるとき、前記スリーブの前記開口部内で広がり、圧縮適合を形成することを特徴とする請求項８に記載の装置。
【請求項１０】
調整された長さを有する、前記第１の複数の封じ込めチューブまたは前記第２の複数の封じ込めチューブの少なくとも１つの封じ込めチューブをさらに含み、調整された長さを有する所与の封じ込めチューブは、
前記所与の封じ込めチューブの前記可撓性の本体部の巻かれた部分、および
前記巻かれた部分を受け入れるためのキャビティを有するコネクタ、を有することを特徴とする請求項１に記載の装置。
【請求項１１】
前記所与の封じ込めチューブは、前記充填流体を受け入れるとき、前記コネクタからの前記チューブの排除を避けるように前記コネクタの前記キャビティ内に延在することを特徴とする請求項１０に記載の装置。
【請求項１２】
前記所与の封じ込めチューブの前記可撓性の本体部の前記巻かれた部分は、前記所与の封じ込めチューブの開口端部に対応し、前記コネクタの前記キャビティに内に延在する前記巻かれた部分は、充填されたときに、前記チューブの前記開口端部をシールして、受け入れた充填流体の放出を実質的に防止することを特徴とする請求項１０に記載の装置。
【請求項１３】
前記ベーパバリアは、第３の部分を含み、前記ベーパバリアの前記第３の部分は、前記地表面に沿って、前記当接部での前記第１のピラミッドフォーメーションおよび前記第２のピラミッドフォーメーションの前記フロントベースから、前記当接部での前記第１のピラミッドフォーメーションおよび前記第２のピラミッドフォーメーションの前記リアベースまで延在し、前記第１の複数の封じ込めチューブおよび前記第２の複数の封じ込めチューブは、前記当接部が前記ベーパバリアの前記第３の部分に位置するように、積み上げられることを特徴とする請求項１に記載の装置。
【請求項１４】
前記ベーパバリアは、第１の端部および第２の端部を有する材料の連続的なシートであり、前記第１の端部は、前記封じ込めエリアの中の前記ベーパバリアの前記第１の部分の端部に対応しており、前記第２の端部は、前記ピラミッドフォーメーションの前記フロントベースにおける前記ベーパバリアの第４の部分の端部に対応していることを特徴とする請求項１３に記載の装置。
【請求項１５】
前記ピラミッドフォーメーションの前記フロントベースにおける前記ベーパバリアの前記第４の部分の端部は、前記封じ込めエリアの中に封じ込められている前記流体の一部分が、前記地表面から前記ピラミッドフォーメーションの内部に進入することを可能にする浸出ギャップを提供するように位置決めされていることを特徴とする請求項１４に記載の装置。
【請求項１６】
材料の複数の連続シートは、前記第１のピラミッドフォーメーションおよび前記第２のピラミッドフォーメーションに沿って長いベーパバリアを延在することを特徴とする請求項１５に記載の装置。
【請求項１７】
前記ベーパバリアは、前記第１のピラミッドフォーメーションおよび前記第２のピラミッドフォーメーションの内部に進出ギャップを通して進入する前記流体の前記部分を実質的に含むことを特徴とする請求項１５に記載の装置。
【請求項１８】
封じ込めエリアの中に流体を封じ込めるための方法であって、
地表面の上に防水性のベーパバリアを置くステップと、
第１の複数の封じ込めチューブを前記ベーパバリアの上に位置決めして、第１のピラミッドフォーメーションを形成し、第２の複数の封じ込めチューブを前記ベーパバリアの上に位置決めして、前記第１のピラミッドフォーメーションに対応する第２のピラミッドフォーメーションを形成するステップであって、それぞれの封じ込めチューブは、可撓性の本体部を含み、充填流体を受け入れるように構成され、封じ込めエリアを形成する、前記第１のピラミッドフォーメーションおよび前記第２のピラミッドフォーメーションのフロントベースは前記ベーパバリアの第１の端部に位置し、前記ベーパバリアの第２の端部は、前記封じ込めエリアから離れるように延在している、ステップと、
前記第１のピラミッドフォーメーションのそれぞれの封じ込めチューブの端部を、前記第２のピラミッドフォーメーションの対応する封じ込めチューブの端部と当接し、前記ベーパバリアが前記当接部に広がるステップと、
前記複数の封じ込めチューブを前記充填流体で充填するステップと、
前記ベーパバリアを、前記ベーパバリアの第２の端部を前記第１のピラミッドフォーメーションおよび前記第２のピラミッドフォーメーションのリアベースから前記第１のピラミッドフォーメーションおよび前記第２のピラミッドフォーメーションを超えて延在すること、ならびに
前記ベーパバリアの前記第２の端部を前記封じ込めエリアの一部分を形成する前記第１のピラミッドフォーメーションおよび前記第２のピラミッドフォーメーションのフロントベースから前記封じ込めエリアの中へ前記地表面に沿って延在させるステップと、により
延在するステップと
を含むことを特徴とする方法。
【請求項１９】
前記ベーパバリアの前記第１の端部で前記第１のピラミッドフォーメーションおよび前記第２のピラミッドフォーメーションのフロントベースが位置決めされていることにより浸出ギャップが提供され、前記方法は、
前記封じ込めエリアの中に前記流体を受け入れるステップと、
前記浸出ギャップを通して、前記ピラミッドフォーメーションの内部の中へ、前記封じ込めエリアの中の前記流体の一部分を受け入れるステップと
をさらに含むことを特徴とする請求項１８に記載の方法。
【請求項２０】
前記ベーパバリアは、第１の端部および第２の端部を有する材料の連続的なシートであり、前記方法は、
材料の複数の連続シートを重ね、前記第１のピラミッドフォーメーションおよび第２のピラミッドフォーメーションに沿って、長く前記ベーパバリアを延在させるステップであって、前記ベーパバリアは前記浸出ギャップを通して進入する前記流体の前記一部分を前記内部の中に実質的に封じ込めることを特徴とする請求項１９に記載の方法。
【発明の詳細な説明】
【技術分野】
【０００１】
関連出願との相互参照
本出願は、２０１５年８月３０日に出願された米国仮出願第６２／１５５，２６９号の優先権を主張しており、それは、その全体が参照により本明細書に組み込まれている。それに加えて、本出願は、米国特許第６，６４１，３２９号に関連しており、それは、その全体が参照により本明細書に組み込まれている。
【０００２】
本開示は、堤防のための可撓性の封じ込めチューブ（ｃｏｎｔａｉｎｍｅｎｔ  ｔｕｂｅｓ）に関し、具体的には、現場でのそれらの弾力性および実用性を改善することに関する。
【背景技術】
【０００３】
多くのシステムが、洪水の水の広がりまたは流体の流出を制御するために用いられてきた。液体のフローを封じ込めるかまたは方向転換させるための最も一般的な手段の１つは、砂袋で防ぐことであり、空の袋が砂で充填され、一時的な堤防を形成するように積み上げられる。液体フローを一時的に方向転換させるために砂袋で防ぐことは、特定の欠点を有しており、それは、砂袋を作り出す金銭的なコスト、砂充填材の金銭的なコスト、空の砂袋を充填する時間的なコスト、および、充填された砂袋をそれらがもはや必要とされないときに除去する困難さを含む。追加的に、一時的な砂袋の堤防は、いくらかの液体フローを方向転換させる際に効果的であるが、液体を封じ込めるのには十分でない。
【０００４】
他のエリアでは、具体的には、より長期間にわたる地面より上の流体保管および方向転換に関連するものでは、高価なインフラストラクチャおよび／または構築方法が、流体を封じ込めるために、および、流体を方向転換させるために必要とされる。たとえば、長期間にわたる封じ込めの場合、プールが、重機で掘られ、または、タンクなど、恒久的な封じ込め構造体が輸送され、現地で設置または建築される。そのような方法は、固定量の液体の恒久的な封じ込めまたは方向転換に関して効果的であるが、実施するためにかなりのコストおよび作業工数を伴う。
【発明の概要】
【発明が解決しようとする課題】
【０００５】
概説
歴史的に、液体のフローを一時的に封じ込めるかまたは方向転換させるためのバリアを手で作るために、砂袋が、現場で構築された（または、現場外で構築されて送達された）。流体封じ込めおよび方向転換のためのバリア構築のこの方法は、異常に多大な時間を必要とし、砂袋を構築および／または置くために大規模な人々のチームを必要とし、追加的に、砂袋を充填するための大量の特定の原材料（砂）を必要とする。さらに、バリアの取り壊しは、バリアの現場から原材料を除去することを容易にするために、等しく大規模の人々のチームを必要とする。
【０００６】
流体封じ込めの他のエリアでは、大型の土で作られた封じ込め池または他の人造の封じ込め池が、水平な土地の大きい区域を掘ることによって、または、土で作られたバリアをその上に構築することによって構築され、（たとえば、流し込まれたコンクリートの）パッドを利用し、流体を受け入れて移送することが多い。パッドに関する水平な土地の大部分が、流体保管を支持し、その掘削（または、パッドに関する材料の移動）は、かなりの量の作業工数および機械工数を必要とする。それに加えて、コンクリートによってパッドを構築することは、膨大な量の材料を必要とし、また、構築現場へそれを輸送することを必要とする。そのうえ、コンクリート自身は、流体封じ込めにおける使用の前に、硬化（乾燥）させられなければならない。パッドの上に生成される例示的な封じ込め池の構造体は、パッドのために掘られた区域、および／または、水準表面の上に構築された地面より上の池を含む。
【０００７】
上記の流体封じ込め技法の短所は、実施するためのコストおよび作業工数を超えて拡大する。たとえば、砂袋封じ込め構造体は、構築するのに比較的に簡単であるが、一時的な方向転換に関しては最も効果的であるが、封じ込めに関しては効果的でない。したがって、洪水損傷を軽減する観点から、砂袋バリアは、流れる水の方向転換を通して、構造体（たとえば、家）が洗い流されることを防止することが可能であるが、淀んだ水の侵入を防止するには十分でない。砂袋よりも効果的な、より恒久的な構造体に関して、起こり得る洪水事象の直前に、砂袋と同様の様式で、洪水損傷を軽減する際にそれらを使用することは、実行不可能であることが多い。
【課題を解決するための手段】
【０００８】
大きい可撓性の封じ込めチューブは、特定の原材料への依存を軽減し、設置コストを低減し、流体方向転換および封じ込めのための所与の長さおよび高さのバリアを構築するために必要とされる人員の数を減少させる。たとえば、洪水の水の流体方向転換および封じ込めのために、洪水の間にバリアのセクションを構築するために、１つの大きい封じ込めチューブ（または、チューブ）は、数十個または数百個の砂袋の代わりになることが可能である。別の例では、１つの大きいチューブは、流体封じ込めに関して、より恒久的な構造体の代わりになることが可能である。さらに、チューブを充填することは、水、生コンクリート、他の流体など、任意の液体物質の使用を通して実施され得、または、さらに、特定の構成において、膨張および硬化するフォーム（たとえば、ポリウレタンフォームなど）もしくはガスの使用を通して実施され得、それは、チューブの中へポンプ送りされ得る。
【０００９】
チューブを充填するための物質は、用途に依存し得、たとえば、洪水の水を方向転換させるように構築された一時的なバリアの場合には、水が使用され得る。別の例では、流体封じ込めに関して、より恒久的なバリアの場合には、コンクリートが使用され得、その場合、コンクリートが、乾燥すると、チューブ自身の本体部の代わりにバリアを形成する。
【図面の簡単な説明】
【００１０】
実施形態の教示は、添付の図面と併せて以下の詳細な説明を考慮することによって、容易に理解され得る。
【図１】例示的な実施形態による、方向転換堤防を固定するための土製アンカー（ｅａｒｔｈｅｎ  ａｎｃｈｏｒ）を示す図である。
【図２】例示的な実施形態による、ベーパバリア（ｖａｐｏｒ  ｂａｒｒｉｅｒ）を固定するための土製アンカーを示す図である。
【図３Ａ】例示的な実施形態による、方向転換堤防を構築する際のベーパバリア構成を示す図である。
【図３Ｂ１】例示的な実施形態による、方向転換堤防を構築する際のベーパバリア構成を示す図である。
【図３Ｂ２】例示的な実施形態による、方向転換堤防を構築する際のベーパバリア構成を示す図である。
【図３Ｃ１】例示的な実施形態による、方向転換堤防を構築する際のベーパバリア構成を示す図である。
【図３Ｃ２】例示的な実施形態による、方向転換堤防を構築する際のベーパバリア構成を示す図である。
【図４Ａ】例示的な実施形態による、可撓性の封じ込めチューブの一体式のベーパバリアを示す図である。
【図４Ｂ】例示的な実施形態による、可撓性の封じ込めチューブの一体式のベーパバリアを示す図である。
【図４Ｃ】例示的な実施形態による、可撓性の封じ込めチューブの一体式のベーパバリアを示す図である。
【図５】例示的な実施形態による、可撓性の封じ込めチューブのためのスリーブ端部を示す図である。
【図６Ａ】例示的な実施形態による、可撓性の封じ込めチューブコネクタを示す図である。
【図６Ｂ】例示的な実施形態による、可撓性の封じ込めチューブコネクタを示す図である。
【図７Ａ１】例示的な実施形態による、可撓性の封じ込めチューブ当接部を示す図である。
【図７Ａ２】例示的な実施形態による、可撓性の封じ込めチューブ当接部を示す図である。
【図７Ｂ１】例示的な実施形態による、可撓性の封じ込めチューブ当接部を示す図である。
【図７Ｂ２】例示的な実施形態による、可撓性の封じ込めチューブ当接部を示す図である。
【図７Ｃ】例示的な実施形態による、可撓性の封じ込めチューブ当接部を示す図である。
【図７Ｄ】例示的な実施形態による、可撓性の封じ込めチューブ当接部を示す図である。
【図７Ｅ】例示的な実施形態による、可撓性の封じ込めチューブ当接部を示す図である。
【図８Ａ】例示的な実施形態による、可撓性の封じ込めチューブのバルブシステムを示す図である。
【図８Ｂ】例示的な実施形態による、可撓性の封じ込めチューブのバルブシステムを示す図である。
【図８Ｃ】例示的な実施形態による、可撓性の封じ込めチューブのバルブシステムを示す図である。
【図９】封じ込められている流体の高さとともに増加する静水圧力の力を示す図である。
【図１０】封じ込められている流体の高さが上昇するときに静水圧力の力とともに増加する、封じ込められている流体の下向きの力を示す図である。
【発明を実施するための形態】
【００１１】
図および以下の説明は、単なる例示として、好適な実施形態に関する。以下の考察から、本明細書で開示されている構造体および方法の代替的実施形態が、実施形態の原理から逸脱することなく用いられ得る実行可能な代替例として容易に理解されることに留意されたい。
【００１２】
ここで、いくつかの実施形態を詳細に参照し、その例が、添付の図に図示されている。できる限り、類似または同様の参照数字が、図の中で使用され得、類似または同様の機能性を示すことが可能であることに留意されたい。図は、単なる例示の目的のために実施形態を示している。
【００１３】
１つの実装形態では、複数の可撓性の封じ込めチューブは、洪水の方向転換のための堤防のセクションを形成することが可能である。たとえば、１９インチ（４８．２６ｃｍ）の直径を有する複数のビニールコーティングされたポリエステルチューブは、水で充填され、互いの上に積み重ねられ、一時的な方向転換堤防を生成することが可能である。堤防の複数のセクションは、共に当接され、堤防のより長いセクションを形成することが可能である。複数のチューブをピラミッドの方式で積み重ねることによって、および、迫り来る洪水からの水、または、ローカルの給水栓（もしくは、他の手段）からの水で、それぞれの可撓性の封じ込めチューブを充填することによって、これらの一時的なセクションが築かれ得る。封じ込めチューブは、ポリエステルの紐で縛ることによって共に固定され、また、スクリュタイプのアンカー（地面杭）などアンカーによって地面に締結され得る。追加的に、ベーパバリアまたはプラスチック膜は、堤防セクションに巻き付けることが可能であり、および／または、充填する前にそれらが設置されるときに、可撓性の封じ込めチューブを通して縫うように進められ、（たとえば、堤防セクションの中に、および、当接している堤防セクションの間に）浸出バリアを生成し、堤防セクションを強化することが可能である。さらに、地面シート重量および／または追加的な地面アンカーが、封じ込めエリアの中へ延在するベーパバリアの一部分を固定することが可能である。
【００１４】
例示的な流体封じ込めチューブおよび関連の構造体
図１は、例示的な実施形態による、方向転換堤防を固定するための土製アンカー（ｅａｒｔｈｅｎ  ａｎｃｈｏｒ）を示す図である。示されているように、方向転換堤防１００のセクションは、ピラミッド形状に積み重ねられた複数の可撓性の封じ込めチューブ１０を含む。すなわち、ピラミッドタイプ形状に関して、ベース層は、複数のチューブを含み、チューブの数は、追加的な層が追加されるにしたがって減少している。示されているように、方向転換堤防１００の図示されているセクションは、３−２−１ピラミッド構成になっており、３−２−１ピラミッド構成は、３つのチューブ１０ａ、１０ｂ、１０ｃのベース層（たとえば、第１の層）を有しており、それは、それぞれの後続層に関して１つずつ減少している（たとえば、第２の層の中のチューブ１０ｄ、１０ｅ、および、最上層の中のチューブ１０ｆ）。他の構成は、第１の層の中に追加的なまたはより少ないベースチューブを含むことが可能であり、また、２つ以上のチューブを含む最上層を有することが可能である。たとえば、４−３−２−１、５−４−３、５−３−２−１などのピラミッド構成が実現され得る。
【００１５】
１つの実施形態では、チューブ１０は、可撓性の流体封じ込め構造体であり、それは、所望の構成で、たとえば、単独で、または、図１に図示されているようなピラミッド形状の堤防セクション１００などで設置されている。チューブ１０は、端部と端部を接続して設置され、チューブ本体部自身よりも長い方向転換堤防を構築することが可能である。いくつかの実施形態では、堤防セクション１００は、封じ込めのための流体を保持するかまたは流体を方向転換させるかのいずれかのために、囲いまたは囲まれたエリア（たとえば、正方形、円形、矩形、または他の形状）を形成するように配置され得る。そのような場合に、チューブ端部の位置は、ずらして配置され得る。したがって、たとえば、追加的な方向転換堤防セクションが共に当接され、より長いバリアを生成するとき、または、１つの堤防セクションと別の堤防セクションとの間の角度を生成するときに、図１に図示されているチューブ１０の端部は、同一平面上になくてもよく、ずらして配置され得る。
【００１６】
例示的な可撓性の封じ込めチューブ１０は、充填されるとき、おおよそ１００フィート（３０．４８ｍ）の長さになっており、１フィート（３０．４８ｃｍ）から３フィート（９１．４４ｃｍ）を超える直径を有しており、７５０，０００ガロン（２８３９ｍ3）を超える体積を有することが可能である。したがって、チューブ重量は、寸法およびそれを充填するために利用される材料に基づいて、おおよそ３トンからはるかに大きな重量までの範囲にあることが可能である（たとえば、水対コンクリート、または、ガスを利用するときには著しく軽い）。充填する前に、チューブは、コンパクトな保管および輸送のためにその長さに沿って巻かれ得る。それらの可撓性の性質に起因して、それぞれの封じ込めチューブ１０の長さは、空になっているときに、たとえば、正方形、「７」、円弧など、ほぼ任意の形状をとるように位置決めされ、構造体の周りにバリアを構築し、障害物を回避することが可能である。たとえば、木々、他の障害物、または、土地の境界線が考慮される必要があるエリアにおいて、チューブ１０は、空になっているときに、木々または他の障害物の周りに容易に位置決めされ、次いで、充填され得る。
【００１７】
チューブ１０自身は、現場で容易に入手可能であり得る、水またはガス（たとえば、空気）、コンクリート、または他の物質など、流体を貯蔵するように構成されている。バルブは、可撓性の封じ込めチューブの可撓性の本体部の中に配設され、連結部から充填装置へ流体を受け入れることが可能であり、充填装置は、１または複数のバルブを介したチューブの中への流体のフローを容易にする。バルブは、さらに、望ましくない流体の放出を防止するように構成され得る。したがって、障害物の周りに所望の構成で設置されると、１または複数のチューブが、バルブに連結されている流体充填装置を介して充填され得る。例示的な流体充填装置は、ポンプまたはホースまたはパイプを含むことが可能であり、それは、ポンプまたは重力によって、および、ガスの場合、加圧されたキャニスタまたは圧縮機によって、流体を供給され得る。実際には、たとえば、チューブ１０ａ〜ｃのベース層が設置されると、それらは、それぞれのチューブの中に配設されているバルブに連結されたホースおよびポンプなど、充填装置を介して充填され得、また、追加的なチューブ（たとえば、チューブ１０ｄ〜ｆ、または、当接するチューブ（図示せず））が設置され、その後に、所望の通りに充填装置を介して充填され、オンデマンドの流体封じ込めまたは方向転換を提供することが可能である。
【００１８】
チューブ１０または複数のチューブ（たとえば、ピラミッド構成になっているもの）は、さまざまな方式で固定され得、そのいくつかは、方向転換堤防セクション１００に関する例によって図示されている。１つの実施形態によれば、チューブ１０は、チューブの可撓性の本体部に連結されている１または複数のストラップループ３２を含むことが可能である。ストラップループ３２は、所与の幅のストラップ１３を収容するのに十分に大きい直径を有している。たとえば、所与のストラップループ３２は、最大で２．５ｉｎ（６．３５ｃｍ）幅を有するストラップ１３を収容するために２．７５ｉｎ（６．９８５ｃｍ）の直径を有することが可能であり、最大で３ｉｎ（７．６２ｃｍ）幅のストラップ１３を収容するために３．２５ｉｎ（８．２５５ｃｍ）の直径を有することが可能であるなどとなっている。チューブ１０の可撓性の本体部に連結されているストラップループ３２は、対応するストラップ１３の使用によって、それらの長さに沿ったチューブのシフトを防止することを支援し、さらに、堤防セクション１００に関するそれらの所望の構成において、チューブの位置を維持することを支援している。２つのストラップループ３２ａ、３２ｂだけが図示され、すなわち、チューブ１０ａおよび１０ｃのそれぞれに関してそれぞれ１つが図示されているが、チューブ１０ａおよび１０ｃは、それらの可撓性の本体部の周りおよび下に所望の通りに位置決めされている追加的なストラップループ３２を含むことが可能である。さらに、他のチューブは、可撓性の本体部に近接するストラップ１３を収容するためのストラップループ（図示せず）を含むことが可能である。たとえば、チューブ１０ｂ、１０ｄ、１０ｆ、および１０ｅのうちの１または複数は、それらの可撓性の本体部に連結されているストラップループを含むことが可能であり、ストラップ１３がストラップループを通して挿入され、チューブの位置を維持することができるようになっている。より大きいピラミッドフォーメーションでは、たとえば、４−３−２−１では、内部チューブ１０は、堤防セクションの外部の周りに巻き付けられた所与のストラップ１３に近接しておらず、ストラップは、チューブ同士の間に織り交ぜられ得、および／または、追加のストラップが利用され得る。たとえば、第１のストラップは、４−３−２−１堤防セクションの外部の周りに巻き付けるために利用され得、第２のストラップは、３−２−１部分の周りに巻き付けるために利用され得、それは、４つのチューブベース層を構成するチューブに連結されているストラップループを通してさらに挿入され得る。
【００１９】
示されているように、ストラップ１３は、チューブ１０ａおよび１０ｃのストラップループ３２ａ、３２ｂをそれぞれ通され、また、堤防セクション１００の周りを通され、堤防セクションのチューブ１０を共に固定する。示されてはいないが、ストラップ１３は、他のチューブの任意の追加的な数のストラップループ（同様に図示せず）を通され得る。上記に説明されているように、ストラップループ３２およびストラップ１３は、それらの長さに沿ってチューブのシフトを防止することを支援し、堤防セクション１００に関するそれらの所望の構成でチューブを維持するが、それらは、地面１０１に対する堤防セクション１００全体のシフトを防止しない。
【００２０】
ある実施形態では、地面１０１に固定されている土製アンカー３は、地面１０１に対する個々のチューブまたは堤防セクション１００のシフトを防止することを支援する。示されているように、土製アンカー（たとえば、３ａおよび３ｂ）は、ベースレベルの縁部において、その長さに沿って、チューブ（たとえば、１０ａおよび１０ｃ）の本体部に隣接して設置され得る。例示的な土製アンカー３ａは、地面固定メカニズムを含み、たとえば、杭５および杭打ち込み部分７などを含む。たとえば、打ち込み部分７は、土製アンカー３ａの中の開口部であり、杭５を受け入れることが可能である。杭５および打ち込み部分７の構成は、打ち込み部分が、地面１０１の中へ打ち込まれる杭の先端部およびシャフトを受け入れることができるが、杭の他の端部を受け入れないようになっていることが可能である。このように、杭５が打ち込み部分７を通して地面１０１の中へ十分に打ち込まれると、アンカー３ａが、杭５から除去されることができない。換言すれば、杭５が杭打ち込み部分７を通して地面１０１の中へ打ち込まれると、土製アンカー３ａは、杭５が地面１０１から除去されるまで、地面１０１に固定されているままである。
【００２１】
杭５の実施形態は、地面１０１の組成に基づいて異なっていることが可能である。たとえば、コンクリート地表面のための杭５は、土、粘土、砂などのための杭とは異なっていることが可能である。さらに、杭５の異なる長さは、地面タイプに基づいて、地面１０１の中の特定の深さに到達するように選ばれ得る。たとえば、コンクリートのための杭５は、土のための杭よりも短い長さのものであることが可能であるが、しかし、それらは、除去に対して同様の抵抗を提供することが可能である。杭５は、らせん状のリッジを備えて構成され得、らせん状のリッジは、スクリュのものと同様に、地面１０１の中へ打ち込まれる先端部において始まり、反対側端部に向けてシャフトまで延在しており、一方向への杭の回転が杭の先端部を地面１０１の中へさらに打ち込み、また、反対側方向への杭の回転が、杭を地面から戻すようになっている。
【００２２】
土製アンカー３は、土製アンカーの中に配設されているストラップループ９を含むことが可能であり、チューブ１０の周りのストラップ１３は、ストラップループ９を通され、または、そうでなければ、（たとえば、ストラップの端部において）ストラップループ９に取り付けられ得る。ストラップループ９は、ストラップループ（たとえば、３２ａ）と同様の直径を有するように構成され、ストラップ１３を受け入れることが可能である。ストラップループ９を含むことは、隣接するチューブ１０に対して土製アンカー３を固定し、また、アンカーに対してチューブを固定する。たとえば、示されているように、ストラップ１３は、土製アンカー３ａのストラップループ９を通され、チューブ１０ａの本体部に対して土製アンカー３ａを固定する。いくつかの実施形態では、杭５だけが使用され得、その場合、杭５の上部端部は、ストラップ１３を受け入れるためのストラップループを含む。杭５の上部端部における例示的なストラップループは、メタルアイ（ｍｅｔａｌ  ｅｙｅ）であり、または、ストラップ１３自信を受け入れるのに十分な直径または開口部を有するフックであることが可能である。
【００２３】
１または複数の追加的な土製アンカー（図示せず）は、所望の通りに、チューブ１０ａの本体部の長さに沿って設置され得る。追加的に、示されているように、土製アンカー３ａ、３ｂは、堤防セクション１００（または、他の実施形態では、個々のチューブ）のそれぞれの側に、その長さに沿って設置され得る。土製アンカー３ｂは、土製アンカー３ａのものと同様の方式で構成され、チューブ１０ｃおよび地面１０１に対してアンカー３ｂを固定し、地面に対する堤防セクション１００のシフトを防止することが可能である。
【００２４】
堤防セクション１００の長さ当たりのアンカー３の数は、堤防セクションの長さ、および、堤防セクションの高さにより決定されてもよい。堤防セクション１００が高くなればなるほど、多くのアンカー３が使用され得る。その理由は、堤防セクションに対する封じ込められている流体の水平方向の力が、封じ込められている流体の深さとともに増加するからである。この水平方向の力は、静水圧力またはＨｋとして知られており、それは、封じ込められている流体の比重量（ｒ）、および、封じ込められている流体の深さ（ｈ）の２乗によって特徴付けられる。具体的には、Ｈｋ＝（ｒ／２）＊ｈ2であり、Ｈｋの作用線は、堤防セクションのベースの上方にｈ／３にある。堤防セクション１００は、適切な場所に残るように、静水圧力に抵抗しなければならない。図９を簡潔に参照すると、グラフは、封じ込められている流体のインチでの高さの増加に伴う静水圧力に起因する、堤防セクション１００の１０フィート（３．０４８ｍ）当たりの力の指数関数的な増加を（１０００ｌｂ（４５３．６ｋｇ）で）図示している。１つの実施形態では、それぞれが２〜１０トンの固定力を提供する杭を備える、おおよそ３つのアンカー３が、ピラミッド構成のチューブ１０ごとに、堤防セクション１００の１００ｆｔ（３０．４８ｍ）長さ当たりに利用されている（その理由は、チューブの数は、堤防セクションの高さに相関しており、したがって、封じ込められている流体の起こり得る高さに相関しているからである）。上記の固定スキームでは、堤防セクション１００が単独で静水圧力に耐えなければならない力を増加させる波の作用など、追加的な水平方向の力に対して保護するように、安全率が組み込まれ得る。たとえば、堤防セクションごとに利用される複数の杭によって提供される固定力が静水圧力に厳密に合致されている場合には、本明細書で説明されている他の強化特徴（たとえば、封じ込めエリアの中へ延在するベーパバリアを含むこと）に伴って、チューブ自身の重量が、十分な安全率を提供することが可能である。
【００２５】
図２は、例示的な実施形態による、ベーパバリア１５を固定するための土製アンカーを示す図である。図２に示されている土製アンカー３は、図１のものと同様の構成のものであってもよい。たとえば、土製アンカー３は、ストラップを用いてチューブ１０ａに対してアンカーを固定するためのストラップループ（図示せず）を含むことが可能であり、それは、堤防セクション２００の周りに、または、堤防セクションの中のチューブ１０を通して巻き付けられ得る。堤防セクション２００のチューブ１０自身は、図１のものと同様の構成で示されている。
【００２６】
図１の実施形態と比較して、図２に図示されている堤防セクション２００は、ベーパバリア１５を含み、堤防セクション２００を通る流体の侵入に対して追加的な抵抗を提供する。１つの実施形態では、ベーパバリア１５は、ポリビスクイーンなど防水材料であり、または、その表面を通る流体の侵入を防止する他の材料である。ある実施形態では、ポリビスクイーンは、厚さが５〜１５ミリメートルの間にある。いくつかの実施形態では、ポリビスクイーンは、たとえば、ナイロンストランド（たとえば、ストリング）など埋め込まれたウェビング（ｗｅｂｂｉｎｇ）材料によって強化されている。
【００２７】
ベーパバリア１５は、構成に応じて、堤防セクション２００のチューブの上に巻き付け、堤防セクション２００のチューブの下に巻き付け、および／または、堤防セクション２００のチューブを通して巻き付けることが可能である。追加的に、ベーパバリア１５は、堤防セクション２００の一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション２００の長さにわたって延在しており、チューブ端部は、（たとえば、２つの堤防セクション２００の接合部において）互いに対して当接されており、チューブ１０自身よりも長い堤防セクションを生成する。２つの堤防セクション２００の接合部は、一列に、ある角度に、または、他の構成になっていてもよい。ピラミッド堤防セクション２００の場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション２００のチューブ１０に当接し、直角にベンドする接合部を形成するように構成され得る（たとえば、ずらして配置されている）。
【００２８】
ベーパバリア１５構成は、堤防セクション２００のリア１５ｂの下から延在する一部分と、封じ込めエリアの一部を形成する堤防セクションのフロントベースから堤防セクションのフロント１５ａを上向きに延在する一部分とを含むことが可能である。図示されている構成では、ベーパバリア１５は、土製アンカー３の下に延在しており、土製アンカー３は、ベーパバリアを通した地面１０１の中への杭５の打ち込みを通して、ベーパバリア１５を地面１０１に固定する。さらに、ベーパバリア１５は、リア部分１５ｂにおいて折り畳まれ得、堤防セクションのフロントベースからフロント部分１５ａが、堤防セクション２００のフロント面を上向きに延在するようになっており、また、追加的な部分１５ｃが、堤防セクションのフロントベースから地面１０１に沿って流体封じ込めエリアの中へ延在することが可能である。追加的な部分１５ｃは、堤防セクション２００のフロントベースから封じ込めエリアの中に１〜３ヤード（０．９１４４〜２．７４３ｍ）以上の長さに延在し、封じ込められている流体による堤防セクション２００の下の地面１０１の浸食を軽減し得る。追加的な部分１５ｃは、延長された端部において、追加的な土製アンカー、および／または、ウェイト（図示せず）によって、地面１０１に固定されてもよい。
【００２９】
土製アンカー３は、傾斜した面８を備えて構成され得、それが封じ込めエリアを形成するフロントベースから堤防セクション２００のフロント面を上向きに延在するときに、ベーパバリアの部分１５ａがその上に横たわるように、隣接するチューブ１０ａの本体部につながる緩やかな傾きを提供している。追加的に、土製アンカー３の打ち込み部分７は、杭５の打ち込み端部が土製アンカー３の傾斜した面８を越えて延在しないように構成され得る。このようにして、封じ込めエリアの中の堤防セクション２００のフロント面につながるベーパバリアの部分１５ａの破れまたは穿刺が軽減され得る。
【００３０】
図３Ａは、例示的な実施形態による、方向転換堤防を構築する際のベーパバリア１５構成を示す図である。図３Ａに示されている土製アンカー３ａ、３ｂは、図１のものと同様の構成のものであってもよい。たとえば、土製アンカー３ａ、３ｂは、ストラップを用いてチューブ１０ａ、１０ｃに対してアンカーをそれぞれ固定するためのストラップループ（図示せず）を含むことが可能であり、それは、堤防セクション３００ａの周りに、または、堤防セクションの中のチューブ１０を通して巻き付けられ得る。堤防セクション３００ａのチューブ１０自身は、図１のものと同様の構成で示されている。
【００３１】
図１の実施形態と比較して、図３Ａに図示されている堤防セクション３００ａは、ベーパバリア１５を含み、堤防セクション３００ａを通る流体の侵入に対して追加的な抵抗を提供する。１つの実施形態では、ベーパバリア１５は、ポリビスクイーンなど防水材料であり、または、その表面を通る流体の侵入を防止する他の材料である。ある実施形態では、ポリビスクイーンは、厚さが５〜１５ミリメートルの間にある。いくつかの実施形態では、ポリビスクイーンは、たとえば、ナイロンストランド（たとえば、ストリング）など埋め込まれたウェビング材料によって強化されている。
【００３２】
ベーパバリア１５は、構成に応じて、堤防セクション３００ａのチューブの上に巻き付け、堤防セクション３００ａのチューブの下に巻き付け、および／または、堤防セクション３００ａのチューブを通して巻き付けることが可能である。追加的に、ベーパバリア１５は、堤防セクション３００ａの一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション３００ａの長さにわたって延在しており、チューブ端部は、（たとえば、２つの堤防セクション３００ａの接合部において）互いに対して当接されており、チューブ１０自身よりも長い堤防セクションを生成する。２つの堤防セクション３００ａの接合部は、一列に、ある角度に、または、他の構成になっていてもよい。ピラミッド堤防セクション３００ａの場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション３００ａのチューブ１０に当接し、直角にベンドする接合部を形成するように構成され得る（たとえば、ずらして配置されている）。
【００３３】
ベーパバリア１５構成は、堤防セクション３００ａのリア１５ｂの下から延在し、また、封じ込めエリアの一部を形成する堤防セクションのフロントベースから堤防セクションのフロント１５ａを上向きに延在する一部分を含むことが可能である。図示されている構成に示されているように、ベーパバリア１５は、土製アンカー３ａの下に延在しており、土製アンカー３ａは、ベーパバリア１５を通した地面１０１の中への杭５の打ち込みを通して、ベーパバリア１５を地面１０１に固定する。さらに、ベーパバリア１５は、リア部分１５ｂにおいて折り畳まれ得、堤防セクションのフロントベースからフロント部分１５ａが、堤防セクション３００ａのフロント面を上向きに延在するようになっており、また、追加的な部分１５ｃが、堤防セクションのフロントベースから地面１０１に沿って流体封じ込めエリアの中へ延在することが可能である。追加的な部分１５ｃは、堤防セクション３００ａのフロントベースから封じ込めエリアの中に１〜３ヤード（０．９１４４〜２．７４３ｍ）以上の長さに延在し、封じ込められている流体による堤防セクション３００ａの下の地面１０１の浸食を軽減することが可能である。追加的な部分１５ｃは、延長された端部において、追加的な土製アンカー、および／または、ウェイト（図示せず）によって、地面１０１に固定されてもよい。
【００３４】
１つの実施形態では、土製アンカー３ａは、傾斜した面を備えて構成されており、それが封じ込めエリアを形成するフロントベースから堤防セクション３００ａのフロント面を上向きに延在するときに、ベーパバリア１５の部分１５ａがその上に横たわるように、隣接するチューブ１０ａの本体部につながる緩やかな傾きを提供している。さらに、いくつかの実施形態では、それを通して杭５が打ち込まれる土製アンカー３ａの打ち込み部分（図示せず）は、杭５の打ち込み端部が土製アンカーの傾斜した面を越えて延在しないように構成され得る。このようにして、封じ込めエリアの中の堤防セクション３００ａのフロント面につながるベーパバリア部分１５ａの破れまたは穿刺が軽減され得る。
【００３５】
図３Ａに図示されている実施形態では、杭１７の打ち込みを介して地面１０１に固定されている第２の土製アンカー３ｂは、たとえば、土製アンカー１５ｂの下のベーパバリア１５ｂの部分１５ｂのリア端部を堤防セクション３００ａのリアベースに位置決めすることによって、および、ベーパバリアの部分１５ｂのリア端部を通して地面の中へ杭１７を打ち込むことによって、ベーパバリア１５の部分１５ｂのリア端部を地面１０１にさらに固定している。追加的に、堤防セクションのフロントベースから堤防セクション３００ａのフロント面を上向きに延在するベーパバリア部分１５ａは、堤防セクション３００ａの上部を越えて土製アンカー３ｂに固定されており、たとえば、接続ストラップ１９を介して、杭１７に、または、土製アンカー３ｂのストラップループ（図示せず）に固定されている。いくつかの実施形態では、ベーパバリア１５のフロント部分１５ａは、堤防セクション３００ａの上部を越えて堤防セクションのリアベースへ延在するのに十分な長さのものであることが可能であり、土製アンカー３ｂに固定され、または、接続ストラップ１９の支援なしに土製アンカー３ｂを介して固定される。いずれの場合でも、ベーパバリア１５は、土製アンカー、杭、および／または、ストラップを介して、地面１０１に固定されている。
【００３６】
１または複数のチューブ１０の堤防セクション３００ａの両側でベーパバリア１５を地面１０１に固定することは、いくつかの予期せぬ利益を提供する。また、チューブ１０自身も、（たとえば、図１を参照して説明されているように）地面１０１に固定され得る。したがって、たとえば、ベーパバリア１５が流体に対して不浸透性である場合には、たとえば、ポリビスクイーンから構築されたベーパバリアのケースなどでは、チューブ１０は、堤防セクション３００ａに形状を提供することだけを必要とする。その理由は、封じ込めエリアの中のフロントベースから堤防セクションのフロント面を上向きに延在するベーパバリアの部分１５ａが、堤防セクションを通る流体移送を実質的に防止するからである。したがって、図３Ａに図示されているものなど構成では、チューブ１０は、封じ込められている流体とは実質的に異なる密度の物質で充填され得る。たとえば、水など流体の封じ込めを考えるときに、チューブ１０は、空気または他のガスで充填され得る。封じ込められている流体が、ベーパバリアのフロント部分１５ａに対して上昇するときに、流体の圧力は、深さとともに増加し、封じ込められている流体の表面下のベーパバリアのフロント部分を、チューブ１０ａの本体部に対して、次いで、チューブ１０ｄに対して、などと圧縮する。堤防セクション３００ａのピラミッド形状、および、封じ込めエリアの中の堤防セクションのフロント面に沿って、チューブに押し付けられている不浸透性ベーパバリアのフロント部分１５ａに起因して、封じ込められている流体の深さが増加するにつれて、封じ込められている流体の柱が、封じ込められている流体の表面下で、堤防セクションのフロント面のより低いレベルの上のチューブの部分の上に発達する。たとえば、封じ込められている流体の柱は、チューブ１０ａ、次いで１０ｂなどの一部分の上に発達する。その理由は、封じ込められている流体の深さが増加するときに、それらが、封じ込められている流体の表面下に入るからである。チューブの一部分の上にあり、封じ込められている流体の表面下にある、封じ込められている流体の柱の重量は、封じ込められている流体の深さとともに増加する（すなわち、その理由は、柱の高さは、封じ込められている流体の深さとともに増加するからである）。ベーパバリアのフロント部分１５ａは封じ込められている流体に対して不浸透性であるので、チューブ（たとえば、１０ａ）の一部の上に発達している流体の柱の重量が、ベーパバリアを通してチューブを押し下げる。ベーパバリアのフロント１５ａを介して、下側レベルチューブ、たとえば、チューブ１０ａに作用する、封じ込められている流体の重量のこの下向きの力は、堤防セクション３００ａのシフトを防止することを支援する。たとえば、下向きの力は、堤防セクション３００ａを固定する１または複数のアンカー、杭、および／またはストラップと協調して働き、封じ込められている流体が堤防セクションを押しのけるのに十分な水平方向の力を発生することを防止する。さらに、堤防セクション３００ａをこのように構成することによって発生される下向きの力に起因して、いくつかの実施形態では、チューブ１０は、封じ込められている流体よりも小さい密度を有する流体で充填され得る。具体的には、封じ込めエリアの中の堤防セクション３００ａのフロント面に沿ったチューブは、封じ込められている流体の表面が上昇するときに、封じ込められている流体自身によって、地面１０１に（および、下側レベルチューブに対して）下向きに押し付けられるので、封じ込められている流体が堤防セクションの下におよび／または堤防セクションを通して侵入することの軽減、ならびに、堤防強度が、非常に改善され、チューブを充填する流体の密度、および／または、アンカー強度が低減され得るようになっている。このようにして、チューブをガスで完全に充填することは、実際には実施されない可能性があるが、チューブ１０を充填する際に利用される流体の量は、堤防セクション３００ａの有効性を低減することなく、たとえば、水で部分的に充填することを通して、および、たとえば、空気で部分的に充填することを通して、実質的に低減され得る。
【００３７】
図３Ｂ１および図３Ｂ２は、例示的な実施形態による、方向転換堤防を構築する際のベーパバリア１５構成を示す図である。示されてはいないが、杭１７ａおよび１７ｂは、土製アンカーを通して打ち込まれ、ベーパバリア１５を地面１０１に固定することが可能である。いくつかの実施形態では、チューブ１０の重量がベーパバリアを地面に保持するので、杭１７ａおよび／または杭１７ｂは、ベーパバリア１５を地面１０１に固定するために利用される。たとえば、フロント杭１７ａだけが、ベーパバリア１５を地面１０１に固定するために実装され得る。堤防セクション３００ｂのチューブ１０自身は、図１のものと同様の構成で示されている。
【００３８】
図３Ｂ１に図示されている堤防セクション３００ｂは、ベーパバリア１５を含み、堤防セクション３００ｂを通る流体の侵入に対して追加的な抵抗を提供し、また、堤防セクション３００ｂの追加的な強化を提供する。１つの実施形態では、ベーパバリア１５は、ポリビスクイーンなど防水材料であり、その表面を通る封じ込められている流体の侵入を防止する。
【００３９】
ベーパバリア１５は、構成に応じて、堤防セクション３００ｂのチューブの上に巻き付け、堤防セクション３００ｂのチューブの下に巻き付け、および／または、堤防セクション３００ｂのチューブを通して巻き付けることが可能である。追加的に、ベーパバリア１５は、堤防セクション３００ｂの一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション３００ｂの長さにわたって延在しており、チューブ端部は、（たとえば、２つの堤防セクション３００ｂの接合部において）互いに対して当接されており、チューブ１０自身よりも長い堤防セクションを生成する。２つの堤防セクション３００ｂの接合部は、一列になっており、ある角度になっており、または、他の構成になっていることが可能である。ピラミッド堤防セクション３００ｂの場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション３００ｂのチューブ１０に当接し、直角にベンドする接合部を形成するように構成され得る（たとえば、ずらして配置されている）。
【００４０】
図３Ａの実施形態と比較して、図３Ｂ１のベーパバリア１５は、堤防セクション３００ｂのフロントベースの下から堤防セクションのリアベースへ延在する一部分１５ｂと、リアの周りおよび堤防セクションの上部を越えて巻き付ける一部分１５ｄと、堤防セクションの上部から堤防セクション３００ｂのフロント面を下向きに堤防セクションのフロントベースへ延在する一部分１５ａとを含み、一部分１５ｃが、堤防セクションのフロントベースから流体封じ込めエリアの中へ地面１０１に沿って延在し続けている。示されているように、ベーパバリア１５は、フロントにおいて、地面杭１７ａによって、および、随意的に、リアにおいて、追加的な杭１７ｂによって、地面１０１に固定され得、それは、地面アンカー（図示せず）を通して打ち込まれ得る。堤防セクション３００ｂの前から延在するベーパバリアの部分１５ｃは、堤防セクションのフロントベースから封じ込めエリアの中へ１〜３ヤード（０．９１４４〜２．７４３ｍ）以上の長さに延在し、堤防セクション３００ｂの下の地面１０１の浸食を軽減することが可能である。封じ込めエリアの中へ延在するベーパバリアの部分１５ｃは、堤防セクション３００ｂのフロントベースに近接して、および、その端部において、地面１０１に固定され得る。たとえば、ベーパバリアの部分１５ｃは、堤防セクション３００ｂのフロントベースのフロント面に近接して、および、延長された端部において、追加的な土製アンカーおよび杭（図示せず）によって、および／または、示されているように、それぞれウェイト３１ａおよび３１ｂによって、地面１０１に固定され得る。
【００４１】
図示されている実施形態では、堤防セクション３００ｂのフロント面を下向きに延在するベーパバリアの部分１５ａ、および、堤防セクションのフロントベースから封じ込めエリアの中へ延在し続けるベーパバリアの部分１５ｃは、堤防セクション３００ｂに対する封じ込められている流体の静水圧力に抵抗する際に、いくつかの予期せぬ利益を提供する。具体的には、ベーパバリアの部分１５ｃを押し下げる封じ込められている流体の柱の重量によって、および、封じ込められている流体の表面下にある堤防セクション３００ｂのフロント面を下向きに延在するベーパバリアの部分１５ａを押し下げる封じ込められている流体の柱の重量によって、ベーパバリアに対する流体の柱の下向きの力の結果として生じる効果は、ボード（たとえば、ベーパバリア１５）の上に人が立っている（たとえば、流体の重量）のと同時に、ボードを持ち上げようとしている（たとえば、堤防セクション３００ｂのフロント面に対する静水圧力に起因する横方向の力）のと同様である。図１０を簡潔に見てみると、図は、堤防セクションのフィート長さ当たりのポンドで示されている封じ込められている流体の横方向の力と比較して、１Ｖ（垂直方向）：１Ｈ（水平方向）の比率を有する堤防にかかる、例示的な封じ込められている流体（水）の下向きの力を、堤防セクションのフィート長さ当たりのポンドで図示するように示されている。１Ｖ：１Ｈの比率は、４５度の傾斜を備えたフロント面を有する例示的な堤防セクションを表しており、たとえば、垂直方向の堤防高さの１フィート（３０．４８ｃｍ）ごとに、堤防のフロントベースが封じ込めエリアの中へ水平方向に１フィート（３０．４８ｃｍ）延在する、ピラミッド形状の堤防セクションの近似を表している。柱高さに起因して封じ込められている流体によって発生される下向きの力は、封じ込められている流体の高さが上昇するにつれて、静水圧力の水平方向の力とともに増加する。下向きの力は、封じ込められている流体の比重量（ｒ）、封じ込められている流体の深さ（ｈ）、および、堤防の水平方向に対する垂直方向の比率によって特徴付けられる。例示的な１Ｖ：１Ｈの比率に関して、深さ（ｈ）を有する流体によって発生される下向きの力は、ｒ／２＊ｈ2に等しい。したがって、静水圧力が、堤防セクション３００ｂのフロント面に対して横方向に（たとえば、水平方向に）作用するとき、セクション１５ｃおよびベーパバリアの傾斜したフロント面１５ａにかかる（したがって、チューブにかかる）水柱の下向きの力は、静水圧力の横方向の力に起因する堤防の移動に抵抗することを支援する。
【００４２】
図３Ｂ１を続けて見ると、示されているように、リアベースから堤防セクション３００ｂの上部へリア面を上向きに延在するベーパバリアの部分１５ｄは、堤防セクションの内部の中のチューブ１０のうちの１または複数の間を通され、堤防セクションのフロント面を下向きに延在するベーパバリアの部分１５ａに対する、水柱の下向きの力の引っ張り作用に抵抗することを支援する。図３Ｂ２は、代替的な構成を図示しており、リア面を上向きに延在するベーパバリアの部分１５ｄは、堤防セクション３００ｂの内部の中のチューブ１０のうちの１または複数の間の内部を通されていない。この例では、１または複数の杭および／または地面アンカー、ならびに、堤防セクション３００ｂの下に延在するベーパバリアの部分１５ｂの上のチューブ１０の重量は、堤防セクションのフロント面を下向きに延在するベーパバリアの部分１５ａに対する下向きの力の引っ張り作用に抵抗する。チューブの重量および／または杭およびアンカーが引っ張り作用に抵抗するのに十分な強度を提供するときに、図３Ｂ２に図示されている構成は、実装するのにより簡単であり得る。
【００４３】
図３Ｃ１および図３Ｃ２は、例示的な実施形態による、方向転換堤防セクションを構築する際のベーパバリア１５構成を示す図である。具体的には、図３Ｃ１および図３Ｃ２は、封じ込められている流体が、堤防セクションのフロント面におけるベーパバリアの部分１５ａ、および／または、封じ込めエリアの中に延在するベーパバリアの部分１５ｃの下に、および／または、それらを通って浸出するときの、図３Ｂ１および図３Ｂ２に図示されているものと同様の方向転換堤防構築の追加的な利益を図示している。
【００４４】
図３Ｃ１に示されているように、浸出ギャップ３３が、堤防セクション３００ｃのフロントベースからチューブ１０ｃの下を通りリアベースに延在するベーパバリアの部分１５ｂと、フロント面を下向きにフロントベースへおよび封じ込めエリアの中へ延在するベーパバリアの部分１５ａ、１５ｃとの間に存在することが可能である。封じ込められている流体３２のレベル３５ａが封じ込めエリアの中で上昇するとき、封じ込められている流体は、封じ込めエリアの中へ延在するベーパバリアの部分１５ｃを越えて地面１０１の中へ浸出することが可能である。そして、封じ込められている流体は、地面１０１からギャップ３３を通して上向きに浸出し、また、チューブ１０を包んでいるベーパバリアの内部３４の中へ浸出することが可能である。追加的に、封じ込められている流体は、堤防セクション３００ｃに沿ってベーパバリア１５の重複セクションにおいて、または、穿刺を介して、内部３４の中へ浸出することが可能であり、穿刺は、封じ込めエリアの中のベーパバリアの延長された部分１５ｃ、および／または、フロント面を下向きに延在するベーパバリアの部分１５ａの中に起こり得る。
【００４５】
堤防セクション３００ｃの下に延在するベーパバリアの部分１５ｂが固定されているままであり、かつ、ベーパバリアの部分１５ｂおよび部分１５ｄが、相対的に穿刺がない状態のままである限り（すなわち、穿刺は、堤防セクションの内部３４の中への浸出の速度よりも速く流体が逃げることを可能にはしない）、浸出する流体は、ベーパバリア１５によって堤防セクションの内部の中に実質的に封じ込められる。そして、堤防セクション３００ｃの内部３４の中に浸出する流体のレベル３５ｂは、封じ込められている流体の表面レベル３５ａと実質的に同様のレベルに上昇することが可能である。
【００４６】
封じ込めエリアから堤防セクション３００ｃの内部３４の中への封じ込められている流体３２の浸出は、最初に、堤防セクション３００ｃの故障のように見える可能性があるが、しかし、内部３４の中に浸出する流体をベーパバリア１５が十分に保持するときは、これは、当てはまらない。実際に、いくつかの予期せぬ利益が、そのような場合に得られる。堤防セクション３００ｃの内部３４の中の流体のレベル３５ｂが上昇するとき、それは、封じ込めエリアの中の封じ込められている流体のレベル３５ａに起因して、堤防セクションのフロント面の上の静水圧力に対抗する。具体的には、封じ込めエリアの中の封じ込められている流体３２が堤防セクション３００ｃのフロント面に作用する横方向の力（それは、堤防セクションの全体をシフトさせる可能性がある）を発生する一方、堤防セクションの内部３４の中の流体も同様に発生するが、それは、反対側方向になっている。実際に、内部３４の中の流体のレベル３５ｂが封じ込めエリアの中に封じ込められている流体３２のレベル３５ａに実質的に等しいとき、内部の中の流体のレベルに起因して、内部の中から、ベーパバリアの部分１５ａをフロント面から離れるように（たとえば、封じ込めエリアの中へ）押す横方向の力は、封じ込めエリアの中の流体のレベルに起因して、ベーパバリアの部分１５ａをフロント面の中へ押す横方向の力を実質的に相殺する。したがって、堤防セクション３００ｃの中の流体レベル３５ｂが上昇するとき、堤防セクションのフロント面に対する封じ込められている流体３２の力が低減されるので、堤防セクションは、シフトしにくくなる。
【００４７】
堤防セクションの内部３４の中の流体レベル３５ｂが上昇するときに、封じ込められている流体３２の静水圧力に起因する堤防セクション３００ｃのフロント面に対する力が軽減され得るが、内部の中の流体は、堤防セクションの背面におけるベーパバリアの部分１５ｄに対して、堤防セクションの内部から外向きに作用する横方向の力を発生する。この理由のために、ベーパバリア１５の実施形態は、強化用のウェビングを含み、耐久性を増加させてもよい。堤防セクション３００ｃの周りのベーパバリア１５および固定ストラップ（図示せず）は、内部の中の流体のレベル３５ｂに起因して、この静水力に抵抗する。重要なことには、流体レベル３５ｂの静水圧力に起因して、堤防セクション３００ｃの内部３４の中からのベーパバリアの部分１５ｂに対する力は、堤防セクションをシフトさせるように作用しない。内部３４の中の１または複数のチューブ１０の周りにベーパバリア１５を縫うように進ませることは（たとえば、図３Ｂ１に示されているように）、内部３４の流体レベル３５ｂからの静水力に抵抗することを支援し、したがって、内部３４の中の流体からの静水圧力に起因してベーパバリア１５がシフトする可能性を低減することが可能である。たとえば、ベーパバリア１５が堤防セクションの内部の中のチューブ１０のうちの１または複数の間を通されている実施形態では（たとえば、図３Ｂ１に示されているように）、堤防セクションの内部３４の中の流体のレベル３５ｂを増加させることにより、水の柱が内部の中のベーパバリアの１または複数の部分の上部（たとえば、チューブ１０ｆより下の部分）に形成され得、それは、流体の柱の重量に起因して下向きの圧力を提供する（たとえば、堤防セクションのフロント面にかかる下向きの力と同様）。内部の中を通されているベーパバリア１５にかかるこの下向きに圧力は、より低いレベルのチューブに対してベーパバリアを押し付け、それは、浸出が起こるときに、ベーパバリア、チューブ１０、および堤防セクション３００ｃ自身のシフトを軽減する。
【００４８】
内部３４の中の流体レベル３５ｂが上昇するとき、ベーパバリアの部分１５ｄは、外向きに作用する静水力に起因して、外へ膨らむことが可能である。追加的に、内部３４の中の流体の柱の重量は、膨らんだエリアおよびベーパバリアの部分１５ｂに下向きに作用する力を働かせる。堤防セクション３００ｃのリア面において、ベーパバリアの部分１５ｄ、１５ｂを地面１０１に対してシールするために、下向きの力および膨らみ作用を組み合わせることは、有益なことには、流体が堤防セクションを破壊することを防止することを支援する。図３Ｃ２は、実際に、上記原理を図示している。
【００４９】
図３Ｃ２は、図３Ｃ１に関連して説明された原理にしたがって構築された２−１ピラミッドの堤防セクション３００ｄを図示している。示されているように、堤防セクション３００ｄは、封じ込めエリアの中に流体３２を、および、堤防セクションの周りに巻き付けられているベーパバリア１５を含む。ベーパバリア１５は、部分１５ｂを含み、部分１５ｂは、堤防セクション３００ｄのフロントから、チューブ１０ｘの下に、次いで、チューブ１０ｙの下に、堤防セクション３００ｄのリアへ延在している。ベーパバリアの部分１５ｂは、ベーパバリアの部分１５ｄに続いており、ベーパバリアの部分１５ｄは、堤防セクション３００ｄのリアにおいて、チューブ１０ｙの周りに巻き付きけ、さらに、堤防セクションの上部において、チューブ１０ｚに巻き付き、ベーパバリアの部分１５ａに続いている。ベーパバリアの部分１５ａは、堤防セクション３００ｄの上部からフロント面を下向きに延在しており、また、地面１０１に沿って封じ込めエリアの中へ延在する延長部分（図示せず）を含むことが可能である。
【００５０】
杭１７ａは、ストラップ１３ａによって、アンカー３ａを地面１０１に固定しており、ストラップ１３ａは、アンカーに連結されており、またチューブの周りに巻き付き、リアにおいて堤防セクション３００ｄを地面に固定している。堤防セクションを地面に追加的に固定するために、ストラップ１３ａを、堤防セクション３００ｄのリアから、堤防セクションのフロントにおけるアンカーおよび／または杭（図示せず）へ、ベーパバリア１５およびチューブ１０の周りに巻き付けることが可能である。追加的なアンカー、杭、およびストラップが、堤防セクションのフロントにおける対応するアンカーおよび杭（図示せず）とともに、堤防セクション３００ｄのリアの長さに沿って、所与の間隔で実装され得る。たとえば、アンカー３ｂ、杭１７ｂ、およびストラップ１３ｂは、アンカー３ａから１０フィート（３．０４８ｍ）以上の間隔で堤防セクション３００ｄを固定することが可能である。アンカー３ｃ、杭１７ｃ、およびストラップ１３ｃは、たとえば、１０フィート（３．０４８ｍ）など、同じ間隔で堤防セクション３００ｄを固定することが可能である。したがって、本例では、３０フィート以上（９．１４４ｍ以上）の長さの堤防セクション３００ｄを固定し、封じ込めエリアの中に流体３２を封じ込める。アンカー、杭、およびストラップが位置決めされている間隔は、堤防セクション３００ｄの高さ、地面の組成、および、封じ込められている流体が堤防セクションに作用する波を作り出すことができるかどうかに基づいて、変化することが可能である。
【００５１】
示されているように、封じ込めエリアからの流体３２は、レベル３５ｂまで、堤防セクション３００ｄの内部３４の中へ浸出され、レベル３５ｂは、封じ込めエリアの中の流体のレベル３５ａと実質的に同様であることが可能である。したがって、堤防セクション３００ｄのリアにおけるベーパバリアの部分１５ｄは、堤防セクション３００ｄの内部３４の中から外向きに作用する、内部３４の中の流体のレベル３５ｂの静水圧力の力に起因して外へ膨らむ３７。内部３４の中の流体の柱に起因する下向きの力が、ベーパバリアの部分１５ｄの中の膨らみ３７の底部を地面１０１に対して押し付け、それは、堤防セクションの内部３４および封じ込めエリアの両方から、堤防セクション３００ｄのリアを通る、および、堤防セクション３００ｄのリアの下の、流体の浸出を軽減することを支援する。
【００５２】
図４Ａ、図４Ｂ、および図４Ｃは、例示的な実施形態による、可撓性の封じ込めチューブ１０の一体式のベーパバリア４００を示す図である。図４Ａに示されているように、チューブ１０は、その可撓性の本体部の端部４１に近接して配設されている一体式のベーパバリア４００を含む。以前に説明されているようなストラップ、アンカー、および／または追加的なベーパバリアは、一体式のベーパバリアとともに働き、当接しているチューブを共に保持し、任意の長さの当接されたチューブから堤防セクションを形成することが可能である。
【００５３】
一体式のベーパバリア４００は、チューブ１０の本体部に取り付けられ得る。たとえば、一体式のベーパバリア４００の端部４２は、熱成形または他の貼り付け手段を介して、チューブ１０の本体部に取り付けられ得る。いくつかの実施形態では、一体式のベーパバリア４００は、チューブ１０の端部４１の上に所定の距離にわたって延在するスリーブである。１つの実施形態では、一体式のベーパバリア４００がチューブ１０の端部４１の上に延在する距離は、一体式のベーパバリアの端部４２がチューブ１０の本体部に係合するのに十分になっている。そして、チューブ１０が充填されるとき、チューブの本体部は膨張し、また、膨張するチューブの本体部を端部４２において圧縮することを介して、一体式のベーパバリア４００の端部４２に貼り付けられる。そのような場合、一体式のベーパバリア４００の端部４２は、圧縮を介して取り付けるために、充填されたチューブ１０の本体部の直径よりも小さい直径になっていることが可能である。いずれの場合でも、一体式のベーパバリア４００の一方の端部４２がチューブ１０に取り付けられている状態で、反対側端部４３は、追加的なチューブを受け入れるために、開口部４７を含み、チューブ１０の端部４１を越えて所定の距離にわたって延在している。
【００５４】
１つの実施形態では、反対側端部４３がチューブ１０の端部４１を越えて延在する距離は、追加的なチューブの本体部に係合するのに十分になっており、追加的なチューブは、充填されるとき、圧縮を介して反対側端部４３との取り付けを形成する。したがって、たとえば、ベーパバリア４００の反対側端部４３は、スリーブ構成の中の端部４２と同様に構成され得る。例として、スリーブは、チューブ１０の本体部の１〜３フィート（３０．４８〜９１．４４ｃｍ）に広がっており、また、開口部４７の中に挿入される別のチューブの本体部に係合するために、開口部４７から１〜３フィート（３０．４８〜９１．４４ｃｍ）の残りの長さを含むことが可能である。したがって、一体式のベーパバリア４００は、おおよそ２〜６フィート（６０．９６〜１８２．９ｃｍ）の全長を有することが可能である。
【００５５】
１つの実施形態では、一体式のベーパバリア４００は、その表面を通る流体の侵入を防止するために、ポリビスクイーン、ゴムなど防水材料から構築されており、または、チューブ１０もしくはベーパバリア１５を構築するために使用されているものと同様の他の材料から構築されている。したがって、たとえば、追加的なチューブが、図４Ｂに図示されているように開口部４７の中へ挿入されるときに、当接しているチューブ端部４１ａ、４１ｂの間の流体侵入が軽減され得る。図１に示されているものなど、地面に対するチューブのシフトを防止するストラップ、ループ、および／またはアンカーを含むことは、一体式のベーパバリア４００の中でのチューブの係合を維持することを支援し、シームレスな堤防が、複数の堤防セクションから任意の長さで構築され得るようになっている。追加的に、図２〜図３を参照して説明されているものなどベーパバリアが、ピラミッド堤防セクション、および、特に、当接しているチューブが一体式のベーパバリア４００を介して取り付けられている２つの堤防セクションの接合部に巻き付けられるために利用され、堤防を通る流体浸出をさらに軽減することが可能である。
【００５６】
図４Ｂに示されているように、チューブ１０ａは、その可撓性の本体部の端部４１ａに近接して配設されている一体式のベーパバリア４００を含む。一体式のベーパバリア４００は、熱成形または他の貼り付け手段を介して、一方の端部４２において、チューブ１０ａの本体部に取り付けられ得る。いくつかの実施形態では、一体式のベーパバリア４００は、スリーブであり、スリーブは、チューブ１０ａの端部４１ａの上に所定の距離にわたって延在しており、チューブ１０ａが充填されるとき、圧縮を介して、端部４２において取り付けを形成する。
【００５７】
また、ベーパバリア４００の反対側端部４３の開口部４７の中へ挿入されているチューブ１０ｂの端部４１ｂが、図４Ｂに示されている。１つの実施形態では、チューブ１０ｂの端部４１ｂは、チューブ１０ｂの充填の前に、開口部４７の中へ挿入される。そして、チューブ１０ｂが充填されるときに、チューブ１０ｂの本体部は膨張し、圧縮を介して、ベーパバリア４００の端部４３との取り付けを形成する。したがって、一体式のベーパバリア４００が防水材料から構築されているとき、当接しているチューブ端部４１ａ、４１ｂの間の流体侵入が軽減され得る。
【００５８】
図４Ｃに示されているように、チューブ１０ａは、その可撓性の本体部の端部４１ａに近接して配設されている一体式のベーパバリア４００を含む。一体式のベーパバリア４００は、熱成形または他の貼り付け手段を介して、一方の端部４２において、チューブ１０ａの本体部に取り付けられ得る。いくつかの実施形態では、一体式のベーパバリア４００は、スリーブであり、スリーブは、チューブ１０ａの端部４１ａの上に所定の距離にわたって延在しており、チューブ１０ａが充填されているときに、圧縮を介して端部４２における取り付けを形成する。
【００５９】
また、一体式のベーパバリア４００の反対側端部４３の開口部４７の中へ挿入されているチューブ１０ｂの端部４１ｂが、図４Ｃに示されている。１つの実施形態では、チューブ１０ｂの端部４１ｂは、一体式のベーパバリア４００の中のチューブ１０ａの端部４１ａとインターロック接続されている。たとえば、チューブ１０の端部４１は、共に巻かれ得、また、一体式のベーパバリア４００は、インターロック接続されたチューブ１０端部の上に延在され、チューブ１０の充填の前に、チューブ１０ｂを開口部４７の中へ挿入することが可能である。
【００６０】
そして、チューブ１０が充填されるとき、チューブ１０の本体部は、一体式のベーパバリア４００の中で膨張し、圧縮を介して、一体式のベーパバリアの端部４３における（および、スリーブ構成の中の端部４２における）取り付けを形成する。追加的に、インターロック接続されたチューブ端部４１は、チューブ１０が充填されるときに、ベーパバリア４００の中で互いに対して膨張し、それは、２つのチューブを共にしっかりと接合する。その理由は、それらが一体式のベーパバリアの壁部の中で圧縮されるからである。したがって、ベーパバリア４００が防水材料から構築されているとき、当接しているチューブ端部４１ａ、４１ｂの間の流体侵入は軽減され得、また、当接しているチューブ端部４１ａ、４１ｂのインターロック接続は、引き離されないようにチューブ１０ａ、１０ｂを固定する。
【００６１】
図５は、例示的な実施形態によるスリーブ端部５００を示す図である。図５に示されているように、１つの実施形態によれば、チューブ１０は、スリーブ端部５００の中へ挿入されている。スリーブ端部５００は、一方の端部５３において開口部５７を含み、チューブ１０を受け入れ、また、他方の端部５５において閉鎖されている。スリーブ端部５００の開口部５７は、チューブ１０の端部４１の上に所定の距離（たとえば、１〜３フィート（３０．４８〜９１．４４ｃｍ））にわたって延在し、チューブ１０が充填されているときに、圧縮を介して、端部５３において、チューブ１０の本体部との取り付けを形成する。チューブ１０の端部４１は、スリーブ端部５００の中への挿入の前に巻かれ、開口部５７から延在する可撓性の本体部の長さを減少させ、したがって、所望の通りに、所与のチューブ１０の長さをより短い長さに低減することが可能である。
【００６２】
巻かれたチューブ１０の端部４１は、チューブ１０の充填の前に、スリーブ端部５００の開口部５７の中へ挿入される。そして、チューブ１０が充填されているときに、チューブ１０の本体部は、スリーブ端部５００の中で膨張し、圧縮を介して、スリーブ端部５００の端部５３との取り付けを形成し、チューブがその全体長さまで膨張すること防止する。このようにして、より短い長さのチューブが、より長い長さのチューブから構成され得る。追加的に、チューブ１０は、スリーブの端部５５において、別のチューブに当接され得る。
【００６３】
１つの実施形態では、スリーブ端部５００は、その表面を通る流体の侵入を防止するために、ポリビスクイーン、ゴムなど防水材料であり、または、ベーパバリア１５のチューブ１０を構築するために使用されているものと同様の他の材料である。
【００６４】
図６Ａおよび図６Ｂは、例示的な実施形態による、可撓性の封じ込めチューブコネクタ６３を示す図である。図６Ａは、１つの実施形態による、線形のチューブコネクタ６３ａを図示している。１つの実施形態では、可撓性の封じ込めチューブは、その端部の１または複数においてシールされていない。そのような実施形態では、コネクタは、可撓性の封じ込めチューブの端部をシールし、随意的に、複数の可撓性の封じ込めチューブを連結することが可能である。図６Ａに示されているように、チューブは、上側部６０ａおよび底側部６０ｂを含み、それらは、チューブの端部においてシールされてはいない。その代わりに、コネクタ６３ａが、チューブの端部を固定し、その端部において、チューブの上側部６０ａと底側部６０ｂとの間のシールを形成し、流体６１が可撓性の本体部の中に封じ込められ得るようになっている。
【００６５】
１つの実施形態では、コネクタ６３ａは、第１のキャビティ６４ａを含み、チューブの端部の一部分を受け入れる。その部分は、チューブの端部を巻くことによって形成され得、チューブの上側部６０ａが、チューブの底側部６０ｂとともに巻かれるようになっている。次いで、チューブの巻かれた端部が、第１のキャビティ６４ａの中へ挿入され得る。コネクタ６３の長さ、および、したがって、第１のキャビティ６４ａの長さは、チューブの直径と同様の距離（たとえば、最大で、充填されていないときのチューブの上側部６０ａおよび底側部６０ｂの幅）にわたって延在することが可能であり、チューブの巻かれた端部が、第１のキャビティ６４ａの中で完全にまたはほとんど閉鎖され得るようになっている。
【００６６】
第２のキャビティ６４ｂは、説明を簡単にするために示されており、第１のキャビティ６４ａと同様の特徴を含む。また、第２のキャビティ６４ｂは、上記に説明されているような第１のキャビティ６４ａのものと同様の方式で、チューブの巻かれた端部を受け入れることが可能である。キャビティ６４ａ、６４ｂは、コネクタ６３の内側壁部６５によって分離され得る。単一のキャビティ（たとえば、第１のキャビティ６４ａ）だけが必要とされる実施形態では、コネクタ６５の内側壁部６５は、第１のキャビティ６４ａを維持するために残ることが可能である。示されているように、キャビティ６４は、具体的には、参考として第２のキャビティ６４ｂを参照すると、上側リテイニングリップ６７ａおよび下側リテイニングリップ６７ｂを含む。他の実施形態は、キャビティ６４当たりに単一のリテイニングリップ６７だけを含むことが可能である。リテイニングリップ６７は、チューブの巻かれた端部をキャビティ６４の中に固定し、コネクタ６３から離れる方向に引っ張られるときに、巻かれた端部の除去を防止する。さらに、チューブが充填されているときに、チューブの側部６０が、リテイニングリップ６７に対抗して膨張し、また、巻かれた部分が、キャビティ６４の中で、リテイニングリップ６７およびキャビティの中の壁部（たとえば、６５）に対抗して膨張し、チューブの巻かれた端部が除去されることを防止し、したがって、また、キャビティ６４の中でチューブの端部をシールし、チューブの中の流体６１の放出を防止する。
【００６７】
図６Ｂは、１つの実施形態による、積み重ねられたチューブコネクタ６３ｂを図示している。積み重ねられたチューブコネクタ６３ｂを介して接続されているチューブ端部同士の間のスペースが低減されているという点において、積み重ねられたチューブコネクタ６３ｂは、図６Ａの線形のチューブコネクタ６３ａとは異なっている。したがって、たとえば、チューブコネクタ６３ｂは、ベーパバリアの使用、および／または、接続されているチューブ端部同士の間に使用されるベーパバリア材料の量を軽減することが可能である。
【００６８】
図７Ａから図７Ｅは、例示的な実施形態による、可撓性の封じ込めチューブ当接部を示す図である。１つの実施形態では、可撓性の封じ込めチューブ端部は、当接しているチューブ端部同士の間の流体の浸出を軽減するために、さまざまな形状で形成されている。当接部は、固体または可撓性であり、たとえば、ＰＣＶ、成形プラスチック、金属など材料から構築され得る。
【００６９】
図７Ａ１に示されているように、チューブ７０ａは、斜めになったチューブ端部７１ａを備えて構築されている。斜めになったチューブ端部７１ａは、実質的に４５度の角度になっていることが可能であり、２つの斜めになったチューブ端部７１ａを共に当接させることによって、直角角部または真っ直ぐなセクションのいずれかが、チューブ７０ａの構成を有する２つのチューブの間に形成され得るようになっている。チューブは、所望の通りに、他の角度を備えて構成され得る。
【００７０】
図７Ｂ１に示されているように、チューブ７０ｂは、平坦なチューブ端部７３ａを備えて構築されている。平坦なチューブ端部７３ａは、それらの面において当接され、２つのチューブから真っ直ぐなセクションを形成することが可能である。あるいは、平坦なチューブ端部７３ａは、直角を形成するように、別のチューブの本体部に当接され得、または、所定の角度で延在するように、図７Ａ１に示されている４５度の斜めの端部７１ａなど斜めになった面に対して当接され得る。
【００７１】
図７Ｂ２に示されているように、チューブ当接部７２ｂは、丸い端部（または、他の形状の端部）を備えた可撓性の封じ込めチューブ１０を挿入するためのキャビティを含む。このように、チューブ１０自身は、特定の形状の端部を備えて構築される必要はない。充填されるときに、チューブ１０は、チューブ当接部７２ｂのキャビティの壁部に対抗して膨張することが可能である。１つの実施形態では、キャビティは、チューブ１０の丸い端部に一致するように形状決め７４されている。チューブ当接部７２ｂの他の実施形態は、それぞれ図７Ａ１および図７Ｂ１の７１ａおよび７３ｂなど、他のチューブ端部タイプに一致するように形状決め７４されたキャビティを含むことが可能である。
【００７２】
チューブ当接部７２ｂの端部７３ｂは、別のチューブまたはチューブ当接部に当接するように、さまざまな方式で構成され得る。たとえば、図７Ｂ２は、平坦な端部７３ｂを備えたチューブ当接部７２ｂを図示しており、平坦な端部７３ｂは、平坦なチューブ端部７３ａを備えて構築された図７Ｂ１のチューブ７０ｂのものと同様の構成で当接することを可能にする。
【００７３】
別の例として図７Ａ２を参照すると、チューブ当接部７２ａは、斜めになった端部７１ｂを含む。斜めになった端部７１ｂは、斜めになったチューブ端部７１ａを備えて構築された図７Ａ１のチューブ７０ａのものと同様の構成で当接することを可能にする。追加的に、チューブ当接部７２ａは、丸い端部（または、他の形状の端部）を備えた可撓性の封じ込めチューブ１０を挿入するためのキャビティを含むことが可能である。したがって、充填されるときに、チューブ１０は、チューブ当接部７２ａのキャビティの壁部に対抗して膨張することが可能である。１つの実施形態では、キャビティは、チューブ１０の丸い端部に一致するように形状決め７４されている。チューブ当接部７２ａの他の実施形態は、それぞれ図７Ａ１および図７Ｂ１の７１ａおよび７３ｂなど、他のチューブ端部タイプに一致するように形状決め７４されたキャビティを含むことが可能である。
【００７４】
図７Ｃは、チューブ１０ａおよびチューブ１０ｂを受け入れるための２つのチューブの当接部７２ｃを図示している。したがって、２つのチューブの当接部７２ｃは、それぞれのチューブ端部に一致するように形状決め７４されたキャビティを含むことが可能である。いくつかの実施形態では、２つのチューブの当接部７２ｃは、たとえば、２つの開口部の間に角度を有するなど、他の構成で構築されている。そして、対応する角度が、チューブが挿入されるときに、チューブ１０ａとチューブ１０ｂとの間に形成される。このように、チューブ１０は、２つのチューブの当接部７２ｃによって当接され、方向転換堤防セクションを所望の形状に接合することが可能である。
【００７５】
図７Ｄは、第１のチューブ当接部７２ｄ１を図示しており、第１のチューブ当接部７２ｄ１は、第１のチューブ１０ａを受け入れるように構成されており、また、第２のチューブ当接部７２ｄ２を受け入れるように形状決めされた面を含む。同様に、第２のチューブ当接部７２ｄ２は、第２のチューブ１０ｂを受け入れるように構成されており、また、第１のチューブ当接部７２ｄ１を受け入れるように形状決めされた面を含む。示されているように対合されたときに、チューブ当接部７２ｄ１および７２ｄ２の対応する面の構成は、１または複数の方向へのチューブ１０に対抗する力が抵抗され、流体を封じ込めるかまたは方向転換させるときにチューブのシフトを防止するようになっていることが可能である。
【００７６】
図７Ｅは、１つの実施形態による、チューブ当接部７２のキャビティ７４を図示している。チューブ当接部７２の端部７７は、たとえば、図７Ａ２の当接端部７１ｂと同様に構成され、図７Ｂ２の当接端部７３ｂと同様に構成され、または、別の構成で構成され得る。示されているように、チューブ端部が完全にキャビティの端部形状７４の部分に挿入されるときに、チューブ端部の上に、および、チューブの可撓性の本体部の上に延在する、チューブ当接部７２の部分は、その端部において、幅の狭くなったセクション７５を含むことが可能である。幅の狭くなったセクション７５は、チューブの本体部が、充填されるときに受け入れキャビティの中で膨張するときに、チューブの本体部を把持することを支援し、チューブ当接部７２からのチューブの除去を防止する。
【００７７】
図８Ａから図８Ｃは、例示的な実施形態による、可撓性の封じ込めチューブ１０のバルブシステムを示す図である。１つの実施形態では、本明細書で説明されているチューブ１０は、気密な逆止バルブ８５を利用しており、逆止バルブ８５は、チューブがその最大容量まで加圧および充填されることを可能にする。また、逆止バルブ８５は、起伏のある地形を伴う状況において流体に坂を上らせるために、傾き面のベースからチューブを充填することを可能にする。
【００７８】
図８Ａは、１つの実施形態による、バルブシステムを備えた可撓性の封じ込めチューブ１０を充填するための例示的なチューブ構成を示す図である。示されているように、チューブ１０は、単一のチューブ１０の中に複数のチャンバ８１を形成する内側膜８０を含む。図８Ａでは、下側チャンバ８１ａおよび上側チャンバ８１ｂを形成する単一の内側膜８０が示されている。内側膜８０は、チューブ本体部１０のものと同様の材料から形成され得、そうであるので、それぞれのチャンバ８１の中の流体を分離するように防水になっていることが可能である。バルブ８５は、膜８０の中に配設されており、一方のチャンバから次のチャンバへの流体のフローを容易にすることが可能であるが、その逆は同様ではない。たとえば、バルブ８５ｂは、下側チャンバ８１ａから上側チャンバ８１ｂへの流体８７ｃのフローを容易にすることが可能であるが、上側チャンバから下側チャンバへの流体８７ｃのフローを容易にすることは可能でない。
【００７９】
下側チャンバ８１ａに対応するチューブ１０の本体部の中に配設されているバルブ８５ａは、ホース８３またはポンプとの接続部から流体８７ａを受け入れることが可能であり、そして、流体８７ａは、下側チャンバの中へ流れ込む。バルブ８５ａは、ホース８３との接続が停止されたときに、下側チャンバ８１ａからの流体の放出を防止することが可能である。
【００８０】
バルブ８５ａを介して受け入れる流体８７ａは、下側チャンバ８１ａの中へ流れ込み、下側チャンバ８１ａを充填する８７ｂ。下側チャンバの流体充填８７ｂ容量に最終的に到達すると、バルブ８５ｂは、下側チャンバから上側チャンバ８１ｂの中への流体８７ｃのフローを可能にする。したがって、下側チャンバ８１ａの中へ追加的な流体８７ａを受け入れることにより、上側チャンバ８１ｂを流体で充填８７ｄさせる。また、バルブ８５ａおよび８５ｂは、同様の構築のものであり、チューブ１０の構築に必要とされる構成要素の数を低減することが可能である。上側チャンバ８１ｂに対応するチューブ１０の本体部の中に配設されているバルブ８５ｃは、上側チャンバ８１からチューブ１０の外側へのガス／流体の放出を可能にすることが可能である。いくつかの実施形態では、バルブ８５ｃは、圧力放出部を含み、圧力放出部は、最大充填圧力条件が経験されたときに、上側チャンバ８１ｂから流体を放出するように活性化する。また、バルブ８５ｃは、チューブ１０から流体を空にするために係合される放出メカニズムを含むことが可能である。
【００８１】
図８Ｂは、下側チャンバ８１ａに対応するチューブ１０本体部の穿刺８８または他の故障の場合の、図８Ａのバルブおよびチューブ構成の例示的な利益を図示している。示されているように、充填されているチューブ１０の下側チャンバ８１ａが穿刺され、流体８９が、穿刺を介して下側チャンバ８１ａから逃げる。しかし、上側チャンバ８１ｂの中の流体は、膜８０を通しても、バルブ８５ｂを通しても、下側チャンバ８１ａの中へ通過することができないので、それは、穿刺８８を通して逃げない。また、バルブ８５ａおよび８５ｃは、上側チャンバ８１ｂから流体を放出しない。したがって、上側チャンバ８１ｂの中の流体レベルは、チューブ１０の完全な故障を防止するために維持される。
【００８２】
上側チャンバ８１ｂが穿刺される場合のシナリオでは、チューブ１０の例示的な構成において、両方のチャンバからの流体が逃げることが可能である。しかし、下側チャンバ８１ａが穿刺を経験する可能性が高いので、そのようなシナリオは起こりにくい。
【００８３】
図８Ｃは、図８Ａのバルブ構成によって、チューブを空にする例を図示している。示されているように、ホースに取り付けられているコネクタ９１は、バルブ８５ｃの放出メカニズムに係合し（たとえば、圧力放出部を開け）、上側チャンバ８１ｂから流体９２ａを放出する。流体が上側チャンバ８１ｂから放出されるときに、バルブ８５ｂは、流体９２ｂが下側チャンバ８１ａから膜８０を通過して上側チャンバへ通ることを可能にし、下側チャンバ８１ａの中の流体９２ｃも空にされるようになっている。いくつかの実施形態では、バルブ８５ｃは、バルブ８５ａ、８５ｂと同様の構成のものであり、製造コストを低減する。そのような場合、バルブ８５ｃは、圧力放出部を含まない逆止バルブであることが可能であり、コネクタ９１は、挿入されるときに、逆止バルブをこじ開ける。
【００８４】
本開示を読むと、当業者は、実施形態の開示されている原理を通して、さらに追加的な代替的な構造的で機能的な設計を理解するであろう。したがって、特定の実施形態および用途が図示および説明されてきたが、実施形態は、本明細書で開示されている正確な構築および構成要素に限定されないこと、ならびに、当業者に明らかになるさまざまな修正、変化、および変形が、添付の特許請求の範囲に定義されているような要旨および範囲から逸脱することなく、本明細書で開示されている方法および装置の配置、動作、および詳細の中で行われ得ることが理解されるべきである。
【図１】
2018150808.tif 000003
【図２】
2018150808.tif 000004
【図３Ａ】
2018150808.tif 000005
【図３Ｂ１】
2018150808.tif 000006
【図３Ｂ２】
2018150808.tif 000007
【図３Ｃ１】
2018150808.tif 000008
【図３Ｃ２】
2018150808.tif 000009
【図４Ａ】
2018150808.tif 000010
【図４Ｂ】
2018150808.tif 000011
【図４Ｃ】
2018150808.tif 000012
【図５】
2018150808.tif 000013
【図６Ａ】
2018150808.tif 000014
【図６Ｂ】
2018150808.tif 000015
【図７Ａ１】
2018150808.tif 000016
【図７Ａ２】
2018150808.tif 000017
【図７Ｂ１】
2018150808.tif 000018
【図７Ｂ２】
2018150808.tif 000019
【図７Ｃ】
2018150808.tif 000020
【図７Ｄ】
2018150808.tif 000021
【図７Ｅ】
2018150808.tif 000022
【図８Ａ】
2018150808.tif 000023
【図８Ｂ】
2018150808.tif 000024
【図８Ｃ】
2018150808.tif 000025
【図９】
2018150808.tif 000026
【図１０】
2018150808.tif 000027